(57)【要約】【課題】商品の最適配置を行い以て自動販売機の効率的な運用を図る。【解決手段】商品見本用の棚が商品の種類に応じて複数のセクションに分割されたことを特徴とする自動販売機である。そして、分割された各セクションは格付けすることができる。格付けは、貨幣投入口からの距離に応じて、更には、目線の位置からの高さに応じて行うことができる。この特徴、即ち、自動販売機の商品見本用棚を、商品の数に応じて、複数のセクションに分割し、各分割したセクションに格付けを行い、分割した棚のセクションの格付けを行うことにより、そのセクションに最適の商品を配置することを生かした、自動販売機で販売する商品を管理するに際して、自動販売機で販売する商品を商品見本用棚のセクション毎に管理するシステムである。【選択図】図２
2004102845.tif 000002
【特許請求の範囲】
【請求項１】
商品見本用の棚が商品の種類に応じて複数のセクションに分割されたことを特徴とする自動販売機。
【請求項２】
前記分割された商品見本用棚のセクションが格付けされたことを特徴とする請求項１に記載の自動販売機。
【請求項３】
貨幣投入口からの距離に応じて、前記分割された商品見本用棚のセクションが格付けされたことを特徴とする請求項２に記載の自動販売機。
【請求項４】
更に、前記分割された商品見本用棚のセクションが、目線の位置からの高さに応じて格付けされたことを特徴とする請求項３に記載の自動販売機。
【請求項５】
自動販売機で販売する商品を管理するシステムであって、商品統括会社が、該商品を管理する管理センターから商品の補充注文を受取る手段、前記補充注文のあった商品を仕入れ先に発注し該商品を前記管理センターに配送するように要請する手段、仕入れ先が管理センターから受取った商品納入通知を仕入れ先から受取る手段、前記商品発注に伴い生じた費用を仕入れ先から受取る手段及び前記仕入れ先から受取った費用請求を管理センターに請求する手段を備えたことを特徴とする自動販売機で販売する商品を管理するシステム。
【請求項６】
請求項１から４のいずれかに記載の自動販売機で販売する商品を管理するシステムであって、商品統括会社が、該商品を管理する管理センターから商品見本用の棚セクション毎に商品の補充注文を受取る手段、前記補充注文のあった商品を仕入れ先に発注し該商品を前記管理センターに配送するように要請する手段、仕入れ先が管理センターから受取った商品納入通知を仕入れ先から受取る手段、前記商品発注に伴い生じた費用を仕入れ先から受取る手段及び前記仕入れ先から受取った費用請求を管理センターに請求する手段を備えたことを特徴とする自動販売機で販売する商品を商品見本用棚のセクション毎に管理するシステム。
【発明の詳細な説明】
【０００１】
【発明の属する技術分野】
本発明は、自動販売機に関する。特に、自動販売機の商品用見本棚が、商品に応じて複数のセクションに分割された自動販売機に関する。更に、自動販売機で販売する商品を管理するシステムに関する。
【０００２】
【従来の技術】
自動販売機では、タバコ、コーヒ、紅茶、ジュース、ビールやドリンク剤等各種商品が取り扱われている。自動販売機は、その機台内では、同一商品を取り扱うケースが多い。同一の自動販売機の機台内で、複数の商品を取り扱うことも勿論可能である。この場合、商品が置かれている場所により、その売れ行き具合が異なるという問題がある。当然、購買者の嗜好の影響を受けるが、一般的には、多くの人に好まれる商品の売れ行きがよい。ここで問題となるのは、多くの人に好まれる人気の商品であっても、その商品が置かれる場所によって、その売れ行きが異なってくるというものである。
【０００３】
例えば、貨幣投入孔に近い棚に置かれている商品の売れ行きは良好であるが、貨幣投入孔から遠くにある棚や目線の高さより高い位置又は低い位置にある棚に陳列された商品の売れ行きは良くないという現象が認められる。即ち、複数の商品を陳列して自動販売する場合、どの商品をどこに置くかが、商品の売れ行き具合と密接に関係するので、商品見本棚に置く商品の選択は重要な問題になる。
【０００４】
【発明が解決しようとする課題】
本発明は、このような問題を解決するためになされたもので、自動販売機の商品見本棚を商品に応じて複数のセクション分割し、その分割した棚のセクションに格付けを行い、棚のセクションの格付けに従って、商品見本を該分割した棚のセクションの最適な位置に配置し、以て自動販売機の効率的な運用を図るものである。更に、商品見本棚を商品に応じて複数のセクション分割された自動販売機で販売する商品を効率的に管理するシステムを提供するものである。
【０００５】
自動販売機の商品見本用棚の効率的な運用に関しては、見本用棚の交換を容易にしようとするもの（特開平１１−２３８１６９）、商品の交換作業を簡単にするもの（特開平１１−２１３２２７）、商品見本の交換作業を容易にするもの（実開平６−５９９７０）や商品の増加、商品の変更や価格変更等に迅速に対応できるもの（実開平５−７５８７７）が開示されているが、商品見本用棚をセクションに分割して、分割した棚の各セクションの格付けを行い、以て自動販売機の効率的な運用を図ろうとするものは見当たらない。また、商品見本棚を商品に応じて複数のセクション分割された自動販売機で販売する商品を効率的に管理するシステムは知られていない。
【０００６】
【課題を解決するための手段】
本発明の要旨は、商品見本用の棚が商品の種類に応じて複数のセクションに分割されたことを特徴とする自動販売機である。そして、前記分割された商品見本用棚のセクションは、格付けをすることができる。また、分割された棚のセクションの格付けは、貨幣投入口からの距離に応じて、行うことができ、更には、目線の高さの位置からの高低により分割された棚のセクションの格付けを行うことができる。例えば、目線の高さの位置にある分割された棚のセクションに高い格付けを行うことができる。
【０００７】
自動販売機で販売する商品を管理するシステムであって、商品統括会社が、該商品を管理する管理センターから商品の補充注文を受取る手段、前記補充注文のあった商品を仕入れ先に発注し該商品を前記管理センターに配送するように要請する手段、仕入れ先が管理センターから受取った商品納入通知を仕入れ先から受取る手段、前記商品発注に伴い生じた費用を仕入れ先から受取る手段及び前記仕入れ先から受取った費用請求を管理センターに請求する手段を備えたことを特徴とする自動販売機で販売する商品を管理するシステムである。
【０００８】
また、自動販売機で販売する商品を管理するシステムであって、商品統括会社が、該商品を管理する管理センターから商品見本用の棚セクション毎に商品の補充注文を受取る手段、前記補充注文のあった商品を仕入れ先に発注し該商品を前記管理センターに配送するように要請する手段、仕入れ先が管理センターから受取った商品納入通知を仕入れ先から受取る手段、前記商品発注に伴い生じた費用を仕入れ先から受取る手段及び前記仕入れ先から受取った費用請求を管理センターに請求する手段を備えたことを特徴とする自動販売機で販売する商品を商品見本用棚のセクション毎に管理するシステムである。
【０００９】
通常、自動販売機は単一の商品を扱うものが多いが、本発明は、取り扱う商品が複数ある場合、その取り扱う商品の数に応じて、商品見本用棚を分割することを特徴としている。分割した商品見本用棚の各セクションそれぞれに、最も適した商品を配置するのである。商品を配置するに当たって、予め分割した棚の各セクションを格付けしておくことができる。格付けした棚の各セクションに、最適の商品を当て嵌めていくのである。この格付けは、そのセクションに配置された商品の売れ行きの順に行うのが望ましい。即ち、売れ行きの良いセクションの順に、各セクションの格付けを行うのである。販売実績から、棚の各セクションの格付けを行うことができる。
【００１０】
棚のセクションの格付けは、他の要因に基づいて行うこともできる。例えば、売れ行き具合は、概ね、貨幣投入孔からの距離に反比例する。即ち、貨幣投入孔に近い距離にあるセクションに置かれた商品の売れ行きは良好であり、貨幣投入孔から遠い距離にあるセクションに置かれた商品の売れ行きは良くない。また、購買者の目線の高さが商品の売れ行きに関係する。即ち、購買者の目線の高さと同じ高さにあるセクションに置かれた商品の売れ行きは良好であるが、目線の高さより高い位置にあるセクションに置かれた商品は、その次に売れ行きが低下し、目線の高さより低い位置のセクションに置かれた商品は更にその売れ行きが低下する。
【００１１】
このような知見に基づいて、分割された商品見本用棚のセクションは、貨幣投入孔からの距離に応じて格付けすることができる。更に、目線の高さの要因を加えて、分割された商品見本用棚のセクションの格付けを行うことができる。
【００１２】
分割した棚の各セクションの格付けを行うことにより、各セクションそれぞれに最適の商品を配置し、以て自動販売機における商品のより効率的な販売をおこなうことが可能になるこ。例えば、売り上げを伸ばしたい商品は、格付け順位の高いセクションに配置し、売り上げ計画に従って、売り上げ順位を高めたい商品の順位に、格付けの順位に従ってそれぞれのセクションに配置していくことができる。ただ単に存在を示すだけの商品は、格付けの低いセクションに配置する。
【００１３】
その他、自動販売機の分割した棚のセクションを貸与する場合、棚の各セクションの格付けを行っておけば、その格付けに応じて場所貸しをすることが可能になる。商品の売れ行きが好調なセクションは高い格付けが為され、それに伴って売れ行きの好調なセクションの賃貸料は高く設定される。このように、格付けの高い分割された棚のセクションには、高い賃貸料が課せられ、自動販売機の棚を公平に貸し出すことができる。
【００１４】
自動販売機で販売する商品の管理は、コンピュータを使用してシステマティックに行うことができる。即ち、自動販売機の商品の管理をする管理センター及び商品統括会社を設け、管理センターが実際の自動販売機の商品補充等の実務を行い、商品統括会社が管理センターの商品補充注文を受けて、該商品を仕入れ先に発注し、商品配送を手配する。また、商品統括会社は費用の請求等も行う。管理センター、商品統括会社、仕入れ先は、それぞれコンピュータを備えネットワークを形成している。ネットワークは閉鎖系のものでもよいし、インターネットのように開放系のものでもよい。管理センター、商品統括会社、仕入れ先は、コンピュータを使用して必要な情報の受け渡しを行う。
【００１５】
本発明の特徴は、自動販売機の商品見本用棚を、商品の数に応じて、複数のセクションに分割し、各分割したセクションに格付けを行う点にある。そして、分割した棚のセクションの格付けを行うことにより、そのセクションに最適の商品を配置することができるようにしている。この特徴を生かして、本発明は、自動販売機で販売する商品を管理するに際して、自動販売機で販売する商品を商品見本用棚のセクション毎に管理するシステムをも提供する。
【００１６】
即ち、自動販売機の商品の管理をする管理センター及び商品統括会社を設け、管理センターが実際の自動販売機の商品補充等の実務を行い、商品統括会社が管理センターの商品補充注文を受けて、該商品を仕入れ先に発注し、商品配送を手配する一方、商品統括会社は費用の請求等も行う。このような商品の物流を、自動販売機商品見本棚を単位に行うシステムである。管理センター、商品統括会社、仕入れ先は、それぞれコンピュータを備えネットワークを形成している。ネットワークは閉鎖系のものでもよいし、インターネットのように開放系のものでもよい。管理センター、商品統括会社、仕入れ先は、コンピュータを使用して必要な情報の受け渡しを行う。
【００１７】
【発明の実施の形態】
以下、本発明を実施形態に基づいて説明する。自動販売機の一例を図１に示した。自動販売機１には、商品見本棚２が設けられ、自動販売機で販売している商品の見本が棚に陳列されている。商品見本棚２の下に貨幣投入孔３が設けられ、更にその下方に商品取り出し口４が設けられている。商品見本の下には、押しボタン５がついている。
【００１８】
商品見本棚は、販売する商品にもよるが、商品の種類が少ない場合は、一段で済まされる。商品の種類が多いと、棚の段数が２段、３段と増加する。例えば、紅茶の販売においては、棚を２段とし、上段には冷却された紅茶を配置し、下段には温紅茶を配している。更に、紅茶の種類、例えば、レモン入り、ミルク入り、ストレート等の種類に分けられ、棚に陳列されている。紅茶の場合、商品見本は、種類毎に２〜３本用意されている。紅茶の場合は、種類も限られ、そして、それらが冷却と温めたものとに分けられて、しかも見本の商品数が複数あるので、購入者にとって、特に、目移りすることなく購入する商品を決めることができる。
【００１９】
しかしながら、種類の異なる商品、例えば、コーヒ、ビール、ＣＤ、タバコ等複数の商品を見本棚に配置する場合には、どの商品をどの棚に配置するかが問題になる。一般的に、貨幣投入口に近い棚の商品の売れ行きが良好で、貨幣投入孔から遠ざかるに従い、売れ行きが落ちる傾向にある。また、目線の位置が重要である。即ち、目線の高さの棚に配置された商品の売れ行きは良好で、目線の高さから離れるに従い、商品の売れ行きが落ちる。
【００２０】
自動販売機の商品見本棚を分割した例を図２に示した。棚は３段に分かれ、更に、各段が２分割され、合計で６分割されている。この分割は、例として示したもので、本発明はこれに限られるものではない。例えば、段数が２段で、３分割されたものでもよく、実際には幾通りもの分割の仕方が可能である。分割の数は、商品の数と対応させることができる。商品の数が、５個であれば、棚の分割数も５ということになる。
【００２１】
分割した棚のセクションは、それぞれに格付けを行うことができる。例えば、図２において、格付けの高い方から順に、「Ａ−Ｂ，Ｃ−Ｄ−Ｅ−Ｆ」と格付けすることができる。格付けの方法は、その格の高い順に、１、２、３・・・というように番号を付けても良いし、イ、ロ、ハ・・・のように記号をつけてもよい。上の例では、貨幣投入孔からの距離に応じて格付けをした結果を、記述したものである。Ａのセクションは貨幣投入孔に一番近い距離にあるので、一番高い格付けとなっている。以下、貨幣投入孔の距離に近い順に、Ｂ，Ｃ−Ｄ−Ｅ−Ｆの順に格付けられている。セクションＢとセクションＣは貨幣投入孔からの距離が同等と見て、同格に格付けられている。
【００２２】
目線の高さを考慮に入れると、分割された棚の各セクションの格付けは若干異なってくる。目線の高さに来る棚のセクションがＣ、Ｄとすれば、ＣがＡに次ぐ格付けとなり、「Ａ−Ｃ−Ｂ−Ｄ−Ｅ−Ｆ」の順序となる。図３は、最下段が３分割されているケースである。この場合、セクションＣは、貨幣投入孔からの距離が大きく、目線の高さより低いので、格付けは低いものとなる。貨幣投入孔からの距離や目線高さの要因を考慮して、この場合のセクションの格付けの順序は、「Ａ−Ｄ−Ｂ−Ｅ−Ｆ−Ｃ−Ｇ」となる。
【００２３】
勿論、販売の実績に基づいて分割した棚の各セクションの格付けを行うことができる。この方法は確実であるが、商品が変わった場合、棚の分割が変わった場合、新たに棚を分割する場合等には、データが無いので採用することはできない。このような場合には、貨幣投入孔からの距離、目線の高さとの高低等を目安に分割した棚の各セクションの格付けを行うことになる。
【００２４】
自動販売機で販売する商品を商品見本用棚のセクション毎に管理するために、自動販売機における商品の実際の管理を行う管理センター、自動販売機に補充する商品の受発注、商品の配送手配、費用の請求等を行う商品統括会社が設けられる。管理センター、商品統括会社に加えて、商品の仕入れ先である仕入れ先がネットワークを形成し、自動販売機で販売する商品を商品見本用棚のセクション毎に管理運営するのである。ネットワークは、閉鎖系のものであってもよいし、インターネットのように開放系のものであってもよい。管理センター、商品統括会社、仕入れ先にはコンピュータが備えられ、相互に通信回線で接続される。それぞれのコンピュータは、中央演算装置、入力装置、表示装置、通信装置、記憶装置等を備えていることにはいうまでもない。
【００２５】
自動販売機における商品の補充等が必要になれば、管理センターは商品統括会社に商品見本用の棚セクション毎に商品の補充注文をする。商品の注文を受取った商品統括会社は、該補充注文のあった商品を仕入れ先に発注し該商品を前記管理センターに配送するように要請する。商品発注を受け取った仕入れ先は、該当商品を管理センターに納入し、商品納入の証として受領通知を受取る。仕入れ先は、こうして受取った受領通知を商品統括会社に転送する。同時に、商品統括会社は、仕入れ先から商品の納入に要した費用の請求を受取る。仕入れ先から商品の納入に要した費用の請求を受取った商品統括会社は、管理センターに該費用を請求する。
【００２６】
【発明の効果】
自動販売機の商品見本用棚を、商品の数に応じて、複数のセクションに分割する。そして、各分割したセクションに格付けを行う。分割した棚のセクションの格付けを行うことにより、そのセクションに最適の商品を配置することができるようになる。更に、自動販売機を賃貸する様な場合、分割したセクション毎に賃貸することができるほか、その賃貸料をセクションの格付けに従って合理的に請求することができるようになる。
【００２７】
以上の特徴を生かし、自動販売機で販売する商品を管理するに際して、自動販売機で販売する商品を商品見本用棚のセクション毎に管理するシステムを構成し運用する。以上の結果、自動販売機の効率的な運用ができる。
【図面の簡単な説明】
【図１】自動販売機の一例を示す図である
【図２】商品見本棚を分割した一例を示す図である
【図３】商品見本棚を分割した他の例を示す図である
【符号の説明】
１　　　　　　　　　　自動販売機
２　　　　　　　　　　商品見本棚
３　　　　　　　　　　貨幣投入孔
４　　　　　　　　　　商品取り出し口
５　　　　　　　　　　押しボタン
【図１】
2004102845.tif 000003
【図２】
2004102845.tif 000004
【図３】
2004102845.tif 000005